(57)【要約】【課題】ネットワーク回線の論理限界性能（ワイヤレート）に影響を与えることなく、複数に分割して伝送された低速データ間の遅延差を補償する。【解決手段】データ間に無信号領域を設け、この無信号領域の最小値が通信規格によって規定されているネットワーク間のデータ伝送方法において、送信側はネットワーク内を伝送する前記データを予め設定された分割数に従って複数本の低速データに分割し、これら複数本の低速データと次に分割された複数本の低速データと間の無信号領域に前記低速データの先頭及び最後尾を検出する固定パターンを付与して送信する工程、受信側は前記固定パターンが付与された複数本の低速データを受信して固定パターンが除去した複数本の低速データから元のデータを復元して受信側のネットワークに出力する工程とを備えた。【選択図】        図２
2004236124.tif 000002
【特許請求の範囲】
【請求項１】
データ間に無信号領域を設け、この無信号領域の最小値が通信規格によって規定されているネットワーク間のデータ伝送方法において、前記無信号領域を有してネットワーク内を伝送するデータを予め設定された分割数に従って複数本の低速データに分割する工程と、これら複数本の低速データ間の無信号領域に前記低速データの先頭及び最後尾を検出する固定パターンを付与する工程と、前記固定パターンが付与された複数本の低速データを受信側のネットワークに対して送信する工程と、送信側のネットワークから送信された前記固定パターンが付与された複数本の低速データを受信する工程と、受信された前記各固定パターン付き低速データから固定パターンを除去して前記低速データを抽出する工程と、前記固定パターンが除去された低速データから前記データを復元して受信側のネットワークに出力する工程とを備えたことを特徴とするデータ伝送方法。
【請求項２】
前記低速データの先頭に付与する固定パターンと前記低速データの最後尾に付与する固定パターンとを異なる種類の固定パターンとしたことを特徴とする請求項１に記載のデータ伝送方法。
【請求項３】
前記低速データの先頭に付与する固定パターンと前記低速データの最後尾に付与する固定パターンとを同じ種類の固定パターンとし、かつ、２種類の固定パターンを繰り返して使用するようにしたことを特徴とする請求項１に記載のデータ伝送方法。
【請求項４】
前記低速データの先頭に付与する固定パターンと前記低速データの最後尾に付与する固定パターンとを異なる種類のパターンとし、かつ、４種類の固定パターンを繰り返して使用するようにしたことを特徴とする請求項１に記載のデータ伝送方法。
【請求項５】
前記低速データの先頭又は最後尾に予め制御データが付与されている場合には、その制御データに固定パターンを上書きすることを特徴とする請求項１に記載のデータ伝送方法。
【請求項６】
送信側のネットワークに接続された送信系と受信側のネットワークに接続された受信系との間においてデータ伝送を行うデータ伝送システムにおいて、前記送信系は、無信号領域を有して送信側のネットワーク内を伝送するデータを予め設定された分割数に従って複数本の低速データに分割するデータ分割手段と、この分割手段により分割された前記低速データの先頭および最後尾に固定パターンをそれぞれ付与して複数本の固定パターン付き低速データを作成する固定パターン付与手段とを備え、前記受信系は、前記送信系から送信された複数の固定パターン付き低速データから各固定パターンを除去して複数本の低速データを抽出する固定パターン除去手段と、この固定パターン除去手段により抽出された前記低速データから前記送信側のネットワーク内のデータを復元して前記受信側のネットワークに出力する合成手段とを備えたことを特徴とするデータ伝送システム。
【請求項７】
駅ホーム側に送信側のネットワーク、前記駅ホームに停車する列車側に受信側のネットワークがそれぞれ設けられ、これら駅ホーム及び列車間においてデータ伝送を行うデータ伝送システムにおいて、前記駅ホーム側には、前記送信側のネットワークに接続し、送信側のネットワーク内のデータを予め設定された分割数に従って複数本の低速データに分割するデータ分割手段と、この分割手段により分割された前記低速データの先頭および最後尾に固定パターンをそれぞれ付与して複数本の固定パターン付き低速データを作成する固定パターン付与手段とを有する送信系を設け、前記列車側には、前記送信系から送信された複数の固定パターン付き低速データから各固定パターンを除去して複数本の低速データを抽出する固定パターン除去手段と、この固定パターン除去手段により抽出された前記低速データから前記送信側のネットワーク内のデータを復元して前記受信側のネットワークに出力する合成手段と有する受信系を設けたことを特徴とするデータ伝送システム。
【発明の詳細な説明】
【０００１】
【発明の属する技術分野】
この発明は、ＬＡＮ等のネットワーク回線を経由して伝送される高速のデータを、例えば移動体内等に設けられることにより物理的に分離した他のネットワーク回線においても使用できるように、複数の低速データに分割して伝送するネットワーク間のデータ伝送方法及びこれを用いたデータ伝送システムに関する。
【０００２】
【従来の技術】
一般に、大容量のテキストデータ、画像データ等の高速データをネットワーク間において伝送する場合、そのままの伝送速度で伝送しようとすると、データの送信側と受信側において高速処理できる電子部品を使用する必要が生じ、システムが複雑かつ高価なものとなる。そこで、無線ＬＡＮ等を使用してこのような高速データの伝送を行う無線通信システム等の分野においては、システム構築に要する総コストを低減するべく、例えばこのような高速データを複数本の低速データに分割して伝送するというデータ伝送方法が採用されている。
【０００３】
なお、複数に分割して伝送したこれらの低速データは、伝送経路の状態等によって遅延時間がそれぞれ異なり、このような遅延時間の差異によってずれた各データのビット位置を元の状態に戻すため、分割された各データに遅延検出補正用ビット（フレームビット）を付加し、これらフレームビットの位置の比較によって各データ間の遅延時間差を求めてこれらの遅延量を調整する等の手段が講じられている。
【０００４】
【特許文献１】
特開２００２−１９１０７３公報（第２頁−第４頁、図１）
【０００５】
【特許文献２】
特開２００２−１３５３０４公報（第２頁、第４頁−第６頁、図１−図３）
【０００６】
【特許文献３】
特開２０００−９２１４６公報（第２頁−第４頁、図１−図５）
【０００７】
【発明が解決しようとする課題】
しかしながら、上記のような従来のデータ伝送方法は、分割された各データに遅延検出補正用ビット（フレームビット）を付加して伝送するため、各低速データの遅延差を補償することができる一方、分割する前の高速データの伝送が行われる元回線を論理限界性能（ワイヤレート）近傍で使用した場合には、データのバッファあふれ等が発生し、すべてのデータを送信側から受信側へ伝送することができない、すなわち元回線の論理限界性能（ワイヤレート）を保障することができないという問題点があった。
【０００８】
ここで、論理限界性能（ワイヤレート）とは、制御データ等を考慮したネットワーク回線の最大転送速度のことである。付加される制御データが増えるとそれだけ処理速度を上げる必要があり、元回線を論理限界性能（ワイヤレート）近傍で使用している場合は処理速度を上げることができず、データのバッファあふれ等が発生する。
【０００９】
この発明は、上記のような課題を解消するためになされたものであり、高速データの伝送を行うネットワーク回線を論理限界性能（ワイヤレート）近傍で使用するような場合であっても、このような元回線の論理限界性能（ワイヤレート）に影響を与えることなく、複数に分割して伝送された各低速データ間の遅延差を補償することができる新規なデータ伝送方法、データ伝送装置及びデータ伝送システムを提供することを目的とする。
【００１０】
【課題を解決するための手段】
請求項１の発明に係るデータ伝送方法は、データ間に無信号領域を設け、この無信号領域の最小値が通信規格によって規定されているネットワーク間のデータ伝送方法において、前記無信号領域を有してネットワーク内を伝送するデータを予め設定された分割数に従って複数本の低速データに分割する工程と、これら複数本の低速データ間の無信号領域に前記低速データの先頭及び最後尾を検出する固定パターンを付与する工程と、前記固定パターンが付与された複数本の低速データを受信側のネットワークに対して送信する工程と、送信側のネットワークから送信された前記固定パターンが付与された複数本の低速データを受信する工程と、受信された前記各固定パターン付き低速データから固定パターンを除去して前記低速データを抽出する工程と、前記固定パターンが除去された低速データから前記データを復元して受信側のネットワークに出力する工程とを備えたものである。
【００１１】
請求項２の発明に係るデータ伝送方法は、前記低速データの先頭に付与する固定パターンと前記低速データの最後尾に付与する固定パターンとを異なる種類の固定パターンとしたものである。
【００１２】
請求項３の発明に係るデータ伝送方法は、前記低速データの先頭に付与する固定パターンと前記低速データの最後尾に付与する固定パターンとを同じ種類の固定パターンとし、かつ、２種類の固定パターンを繰り返して使用するようにしたものである。
【００１３】
請求項４の発明に係るデータ伝送方法は、前記低速データの先頭に付与する固定パターンと前記低速データの最後尾に付与する固定パターンとを異なる種類のパターンとし、かつ、４種類の固定パターンを繰り返して使用するようにしたものである。
【００１４】
請求項５の発明に係るデータ伝送方法は、前記低速データの先頭又は最後尾に予め制御データが付与されている場合には、その制御データに固定パターンを上書きするものである。
【００１５】
請求項６の発明に係るデータ伝送システムは、送信側のネットワークに接続された送信系と受信側のネットワークに接続された受信系との間においてデータ伝送を行うデータ伝送システムにおいて、前記送信系は、無信号領域を有して送信側のネットワーク内を伝送するデータを予め設定された分割数に従って複数本の低速データに分割するデータ分割手段と、この分割手段により分割された前記低速データの先頭および最後尾に固定パターンをそれぞれ付与して複数本の固定パターン付き低速データを作成する固定パターン付与手段とを備え、前記受信系は、前記送信系から送信された複数の固定パターン付き低速データから各固定パターンを除去して複数本の低速データを抽出する固定パターン除去手段と、この固定パターン除去手段により抽出された前記低速データから前記送信側のネットワーク内のデータを復元して前記受信側のネットワークに出力する合成手段とを備えたものである。
【００１６】
請求項７の発明に係るデータ伝送システムは、駅ホーム側に送信側のネットワーク、前記駅ホームに停車する列車側に受信側のネットワークがそれぞれ設けられ、これら駅ホーム及び列車間においてデータ伝送を行うデータ伝送システムにおいて、前記駅ホーム側には、前記送信側のネットワークに接続し、送信側のネットワーク内のデータを予め設定された分割数に従って複数本の低速データに分割するデータ分割手段と、この分割手段により分割された前記低速データの先頭および最後尾に固定パターンをそれぞれ付与して複数本の固定パターン付き低速データを作成する固定パターン付与手段とを有する送信系を設け、前記列車側には、前記送信系から送信された複数の固定パターン付き低速データから各固定パターンを除去して複数本の低速データを抽出する固定パターン除去手段と、この固定パターン除去手段により抽出された前記低速データから前記送信側のネットワーク内のデータを復元して前記受信側のネットワークに出力する合成手段と有する受信系を設けたものである。
【００１７】
【発明の実施の形態】
実施の形態１．
以下、この発明の実施の形態１について図１乃至図４を用いて説明する。図１は実施の形態１乃至実施の形態３によるデータ伝送方法を適用して高速データの伝送を行うデータ伝送システムの概要を示すシステム概要図、図２は図１に示す送信系３及び受信系の具体的構成を示すブロック構成図である。
【００１８】
図１において、１，２はＬＡＮ（Ｌｏｃａｌ  Ａｒｅａ  Ｎｅｔｗｏｒｋ：以下、ＬＡＮという。）等の通信回線により構成されたネットワーク回線（以下、ネットワークという。）、３はネットワーク１に接続され、ネットワーク１内を伝送する高速データを複数の低速データに分割して送信する送信系、４はネットワーク２に接続され、送信系３より送信された複数の低速データから元の高速データを復元してネットワーク２に出力する受信系、５は送信系３と受信系４との間における伝送路である。この伝送路５は、有線回線又は無線回線のいずれにより構成してもよく、例えば、一方のネットワークが自動車、電車等の移動体に設置されるネットワークの場合には無線回線によって構成する。さらに、大容量の画像データ等を無線伝送するような場合は、ミリ波帯の無線伝送装置を使用することが望ましく、このような場合は、後述する送信部８及び受信部９として、例えば６０ＧＨ帯のミリ波送信機及びミリ波受信機等を使用する。
【００１９】
なお、実施の形態１によるデータ伝送システムは、ＬＡＮ等に通常適用される通信規格が使用されるネットワーク間におけるデータ伝送を前提としており、ネットワーク１及びネットワーク２内、並びにネットワーク１と送信系３との間及びネットワーク２と受信系４との間を伝送する高速データは、このような通信規格によって通信速度、通信手順等が規定されているが、各高速データの間にいわゆるアイドル区間を設け、このアイドル区間の最小値を規定している通信規格が適用されるネットワークであれば、いずれのネットワーク間においてもこの発明に係るデータ伝送方法を適用することができる。
【００２０】
また、図２（ａ）において、６はネットワーク１を経由して入力された高速データを予め設定された分割数ｎ（ｎは２以上の整数）に従ってｎ本の低速データ（ビットレートは高速データの１／ｎである。）に分割するデータ分割部、７はデータ分割部６により分割されたｎ本の低速データに後述するような所定の固定パターンをそれぞれ付与する固定パターン付与部、８は固定パターン付与部７によって固定パターンが付与されたｎ本の固定パターン付き低速データを多重化して伝送路５に出力する送信部である。なお、図２（ａ）に示す送信部８はｎ本の固定パターン付き低速データを多重化して伝送路５に出力するものであるが、このような複数本の固定パターン付き低速データを固定パターン付き低速データの数に対応した複数の送信部により送信するように構成してもよい。この場合、各送信部は異なるチャンネルで複数本の固定パターン付き低速データを伝送路５に出力する。
【００２１】
また、図２（ｂ）において、９は伝送路５を介して伝送された送信系３からの多重化データを受信してｎ本の固定パターン付き低速データに分離する受信部、１０は受信部９から出力されたｎ本の固定パターン付き低速データの先頭をそれぞれ抽出し、受信部９により分離されたすべての低速データの先頭が抽出できた時点で、各低速データの先頭に付与されていた固定パターンをそれぞれ除去し、これらｎ本の低速データの先頭を揃えて出力する固定パターン除去部、１１は固定パターン除去部１０により先頭を揃えて出力されたｎ本の低速データから元の１本の高速データを復元してネットワーク２へ送出するデータ合成部である。なお、図２（ｂ）に示す受信部９は多重化されたｎ本の固定パターン付き低速データを分離して各固定パターン付き低速データを取り出すものであるが、送信部を複数の送信部によって構成した場合には対応する複数の受信部によって複数本の固定パターン付き低速データを受信する。
【００２２】
次に、動作について図３を用いて詳細に説明する。図３は実施の形態１によるデータ伝送システムの一連の動作を説明するためのデータ構成図であって、図３（ａ）はネットワーク１を経由して送信系３のデータ分離部６に入力する高速データのデータ構成を示すデータ構成図、図３（ｂ）はデータ分割部６の処理によりｎ本に分割された低速データのデータ構成を示すデータ構成図、図３（ｃ）は固定パターン付与部７の処理により固定パターンが付与されたｎ本の固定パターン付き低速データを示すデータ構成図、図３（ｄ）は送信系３から伝送路５に対して出力され、受信系４において受信されたｎ本の固定パターン付き低速データを示すデータ構成図、図３（ｅ）は固定パターン除去部１０の処理により固定パターンが除去され、かつ、先頭の位置が調整されたｎ本の低速データを示すデータ構成図、図３（ｆ）はデータ合成部２３の処理により復元され、ネットワーク２に対して送出される高速データを示すデータ構成図である。
【００２３】
ネットワーク１側からネットワーク２側に対して高速データの伝送を行う場合、まず、図３（ａ）に示すような高速データ１２がネットワーク１を介して送信系３のデータ分離部６に入力される。これらの各高速データ１２は、情報部分であるデータ部１３にこのデータ部１３の制御情報であるプリアンブル等の規定パターン１４が付加されたものであって、具体的にはパケット等のブロックに分割されたデータにフレーム情報を付加したフレームデータ等を想定している。そして、このような高速データ１２の間にはアイドル区間１５と呼ばれる無信号区間が設けられており、このアイドル区間１５のデータ長は使用する通信規格によってその最小値がそれぞれ規定されている。
【００２４】
データ分割部６は高速データ１２が入力されると図３（ｂ）に示すようなビットレート１／ｎのｎ本の低速データ１６−１乃至１６−ｎ（ｎは２以上の整数）に分割して固定パターン付与部７に出力する。固定パターン付与部７はｎ本の低速データ１６−１乃至１６−ｎが入力されるとそれぞれに固定パターン１７ａ，１７ｂを付与し、図３（ｃ）に示すような固定パターン付き低速データ１８−１乃至１８−ｎを送信部８に出力する。
【００２５】
固定パターンを付与する際、低速データ１６−１乃至１６−ｎの先頭又は最後尾にプリアンブル等の規定されたデータパターンが既に付与されている場合には、そこに上書きして固定パターンを付与する。実施の形態１によるデータ伝送方法においては、低速データの先頭に付与する固定パターン１７ａはプリアンブル等の規定パターンに上書きしており、低速データの最後尾に付与する固定パターン１７ｂはアイドル区間を使用している。なお、図３（ｃ）に示すように、低速データの前後にはそれぞれ異なる固定パターンを付与している。
【００２６】
送信部１３は固定パターン付き低速データ１８−１乃至１８−ｎが入力されるとこれらを多重化して伝送路５へ出力する。送信部１３から出力された多重化データは伝送路５を伝送して受信系３の受信部９により受信される。
【００２７】
受信部９は多重化データ、すなわち多重化された固定パターン付き低速データを受信すると、それらをｎ本の固定パターン付き低速データ１８−１乃至１８−ｎに分離して固定パターン除去部１０に出力する。なお、受信部９から出力された固定パターン付き低速データ１８−１乃至１８−ｎ間には、各部品の特性のばらつきや伝送経路の違い等から図３（ｄ）に示すような遅延差が生じており、このような遅延差を有する状態で固定パターン除去部１０に出力される。
【００２８】
固定パターン除去部１０はこれら固定パターン付き低速データ１８−１乃至１８−ｎ間の遅延差が最小データ長の半分まであることを前提として、受信した固定パターン付き低速データとその先頭に付与した固定パターン１７ａとの相関チェックを行う。この相関チェックの処理により各低速データの先頭を抽出することができる。そして、ｎ本の固定パターン付き低速データ１８−１乃至１８−ｎのすべての先頭が抽出できた時点で、先頭に付与された固定パターン１７ａを除去し、先頭を揃えてｎ本の低速データ１６−１乃至１６−ｎをデータ合成部２３に出力し始める。また、低速データ１６−１乃至１６−ｎの最後尾の判断は、受信した固定パターン付き低速データとその最後尾に付与した固定パターン１７ｂとの相関チェックにより行う。この相関チェックの処理により各低速データの最後尾を抽出することできる。そして、低速データの最後尾を抽出した時点でデータ合成部２３への出力を停止する。
【００２９】
図３（ｅ）は固定パターン除去部１０から出力された低速データ１６−１乃至１６−ｎを示しており、上述したような固定パターン除去部１０の処理によって受信系４において受信された固定パターン付き低速データ１８−１乃至１８−ｎ間の遅延差が補償されている。なお、送信系３の固定パターン付与部７において低速データの先頭および最後尾にプリアンブル等の規定されたデータパターンに上書きして固定パターンを付与した場合は、固定パターン１７−１，１７−２を除去する際にその復元も併せて行う。データ合成部２３は固定パターン除去部２２から出力されたｎ本の低速データ１６−１乃至１６−ｎが入力されるとこれらから図３（ｆ）に示すような元の１本の高速データ１２を復元してネットワーク２へ送出する。
【００３０】
以上のように、実施の形態１によるデータ伝送方法においては、送信系３から送信された低速データ間の遅延差が受信系４において各低速データの最小データ長の半分までの遅延差まで補償することができる。また、データ分割部６によってｎ本に分割された低速データ１６−１乃至１６−ｎに付与する固定パターンをアイドル区間１５を使用して付与するようにしたので、元回線の論理限界性能（ワイヤレート）を補償したままで低速データへの分割および元データへの復元が可能となり、ネットワークへ何ら負荷をかけない安価なシステムを構築することができる。
【００３１】
例えば、高速データ１２のデータ長が短くなってくると、より具体的にはデータ長の短いショートパケット領域になると、複雑なパケット処理の回数がロングパケット領域に比較して格段に増えることになり、ネットワーク回線を論理限界性能（ワイヤレート）近傍で使用することが困難になってくるが、実施の形態１によるデータ伝送方法によれば、複数に分割された低速データ間のアイドル区間にこれら複数に分割された低速データ間の遅延差を補償するための固定パターンを設けるようにしたので、高速データ１２のデータ長に拘わらず、元回線の論理限界性能（ワイヤレート）を補償したままで低速データへの分割および元データへの復元が可能となる。なお、送信系３と受信系４との間における通信方式は、ネットワーク１又は２内において使用する通信規格とは無関係に設定することができるので、図３（ｃ）に示すように、複数に分割された低速データ間に設けられたアイドル区間１５に固定パターンを設けても特に支障は生じない。
【００３２】
なお、実施の形態１によるデータ伝送システムは、ネットワーク１からネットワーク２に対してデータ伝送を行う片方向通信のシステムの例について示しているが、ネットワーク２からネットワーク１に対してもデータ伝送を行うようにしてもよく、ネットワーク１及びネットワーク２のそれぞれに送信系３及び受信系４を設けることにより双方向通信を行うシステムを構成することができる。
【００３３】
実施の形態２．
次に、この発明の実施の形態２について説明する。なお、実施の形態２によるデータ伝送システムのシステム概要等については実施の形態１と同様であり、図１乃至図２に示すように構成される。また、実施の形態２によるデータ伝送システムの動作については図４を用いて説明する。図４は実施の形態２によるデータ伝送システムの一連の動作を説明するためのデータ構成図であって、固定パターン付与部７において付与する固定パターンの形態が実施の形態１によるデータ伝送方法と異なる。以下、固定パターン付与部７における固定パターンの付与を中心に実施の形態２によるデータ伝送システムの動作について説明を行う。なお、その他の部分の動作については、実施の形態１と同様であり、これらについての詳細な説明は省略する。
【００３４】
図４（ａ）はネットワーク１を経由して送信系３のデータ分離部６に入力する高速データのデータ構成を示すデータ構成図、図４（ｂ）はデータ分割部６の処理によりｎ本に分割された低速データのデータ構成を示すデータ構成図、図４（ｃ）は固定パターン付与部７の処理により固定パターンが付与されたｎ本の固定パターン付き低速データを示すデータ構成図、図４（ｄ）は送信系３から伝送路５に対して出力され、受信系４において受信されたｎ本の固定パターン付き低速データを示すデータ構成図、図４（ｅ）は固定パターン除去部１０の処理により固定パターンが除去され、かつ、先頭の位置が調整されたｎ本の低速データを示すデータ構成図、図４（ｆ）はデータ合成部２３の処理により復元され、ネットワーク２に対して送出される高速データを示すデータ構成図である。
【００３５】
固定パターン付与部７はｎ本の低速データ１６−１乃至１６−ｎが入力されると各低速データ１６−１乃至１６−ｎの前後のアイドル区間１５に同一の固定パターン１９ａを付与して送信部８に出力する。但し、次の低速データ１６−１乃至１６−ｎが入力されると前に付与した固定パターン１９ａとは異なる固定パターン１９ｂを付与し、以後、図４（ｃ）に示すようにこれら異なる固定パターンの付与を低速データ１６−１乃至１６−ｎの入力が終了するまで繰り返して行う。
【００３６】
なお、固定パターンを付与する際、低速データ１６−１乃至１６−ｎの先頭又は最後尾にプリアンブル等の規定されたデータパターンが既に付与されている場合には、そこに上書きして固定パターンを付与する。実施の形態２によるデータ伝送方法においては、低速データの先頭に付与する固定パターン１９ａ及び１９ｂはプリアンブル等の規定パターンに上書きしており、低速データの最後尾に付与する固定パターン１９ａ及び１９ｂはアイドル区間を使用している。
【００３７】
送信部１３は固定パターン付き低速データ１８−１乃至１８−ｎが入力されるとこれらを多重化して伝送路５へ出力する。送信部１３から出力された多重化データは伝送路５を伝送して受信系３の受信部９により受信される。
【００３８】
受信部９から出力された固定パターン付き低速データ１８−１乃至１８−ｎ間には、各部品の特性のばらつきや伝送経路の違い等から図４（ｄ）に示すような遅延差が生じており、このような遅延差を有する状態で固定パターン除去部１０に出力される。固定パターン除去部１０はこれら固定パターン付き低速データ１８−１乃至１８−ｎ間の遅延差が最小データ長まであることを前提として、受信した固定パターン付き低速データとその先頭に付与した固定パターン１７−１との相関チェックを行う。この相関チェックの処理により各低速データの先頭を抽出することができる。
【００３９】
そして、ｎ本の固定パターン付き低速データ１８−１乃至１８−ｎのすべての先頭が抽出できた時点で、先頭に付与された固定パターン１７−１を除去し、先頭を揃えてｎ本の低速データ１６−１乃至１６−ｎをデータ合成部２３に出力し始める。また、低速データ１６−１乃至１６−ｎの最後尾の判断は、受信した固定パターン付き低速データとその最後尾に付与した固定パターン１７−２との相関チェックにより行う。この相関チェックの処理により各低速データの最後尾を抽出することできる。そして、低速データの最後尾を抽出した時点でデータ合成部２３への出力を停止する。
【００４０】
図４（ｅ）は固定パターン除去部１０から出力された低速データ１６−１乃至１６−ｎを示しており、上述したような固定パターン除去部１０の処理によって受信系４において受信された固定パターン付き低速データ１８−１乃至１８−ｎ間の遅延差が補償されている。なお、送信系３の固定パターン付与部７において低速データの先頭および最後尾にプリアンブル等の規定されたデータパターンに上書きして固定パターンを付与した場合は、固定パターン１７−１，１７−２を除去する際にその復元も併せて行う。データ合成部２３は固定パターン除去部２２から出力されたｎ本の低速データ１６−１乃至１６−ｎが入力されるとこれらから図４（ｆ）に示すような元の１本の高速データ１２を復元してネットワーク２へ送出する。
【００４１】
以上のように、実施の形態２によるデータ伝送方法においては、送信系３から送信された低速データ間の遅延差が受信系４において各低速データの最小データ長までの遅延差まで補償することができる。また、データ分割部６によってｎ本に分割された低速データ１６−１乃至１６−ｎに付与する固定パターンをアイドル区間１５を使用して付与するようにしたので、元回線の論理限界性能（ワイヤレート）を補償したままで低速データへの分割および元データへの復元が可能となり、ネットワークへ何ら負荷をかけない安価なシステムを構築することができる。
【００４２】
なお、実施の形態２によるデータ伝送方法も複数に分割された低速データ間のアイドル区間にこれら複数に分割された低速データ間の遅延差を補償するための固定パターンを設けるようにしたので、高速データ１２のデータ長に拘わらず、元回線の論理限界性能（ワイヤレート）を補償したままで低速データへの分割および元データへの復元が可能となる。また、実施の形態２によるデータ伝送システムの場合も実施の形態１と同様にして双方向通信を行うシステムを構成することができる。
【００４３】
実施の形態３．
次に、この発明の実施の形態３について説明する。なお、実施の形態３によるデータ伝送システムのシステム概要等については実施の形態１及び２と同様であり、図１乃至図２に示すように構成される。また、実施の形態３によるデータ伝送システムの動作については図５を用いて説明する。図５は実施の形態３によるデータ伝送システムの一連の動作を説明するためのデータ構成図であって、固定パターン付与部７において付与する固定パターンの形態が実施の形態１及び２によるデータ伝送方法と異なる。以下、固定パターン付与部７における固定パターンの付与を中心に実施の形態３によるデータ伝送システムの動作について説明を行う。なお、その他の部分の動作については、実施の形態１又は２と同様であり、これらについての詳細な説明は省略する。
【００４４】
図５（ａ）はネットワーク１を経由して送信系３のデータ分離部６に入力する高速データのデータ構成を示すデータ構成図、図５（ｂ）はデータ分割部６の処理によりｎ本に分割された低速データのデータ構成を示すデータ構成図、図５（ｃ）は固定パターン付与部７の処理により固定パターンが付与されたｎ本の固定パターン付き低速データを示すデータ構成図、図５（ｄ）は送信系３から伝送路５に対して出力され、受信系４において受信されたｎ本の固定パターン付き低速データを示すデータ構成図、図５（ｅ）は固定パターン除去部１０の処理により固定パターンが除去され、かつ、先頭の位置が調整されたｎ本の低速データを示すデータ構成図、図５（ｆ）はデータ合成部２３の処理により復元され、ネットワーク２に対して送出される高速データを示すデータ構成図である。
【００４５】
固定パターン付与部７はｎ本の低速データ１６−１乃至１６−ｎが入力されると各低速データ１６−１乃至１６−ｎの前後のアイドル区間１５に異なる固定パターン２０ａ及び２０ｂをそれぞれ付与して送信部８に出力する。但し、次の低速データ１６−１乃至１６−ｎが入力されると前に付与した固定パターン２０ａ及び２０ｂとは異なる固定パターン２０ｃ及び２０ｄを付与し、以後、図５（ｃ）に示すようにこれら異なる固定パターンの付与を低速データ１６−１乃至１６−ｎの入力が終了するまで繰り返して行う。
【００４６】
なお、固定パターンを付与する際、低速データ１６−１乃至１６−ｎの先頭又は最後尾にプリアンブル等の規定されたデータパターンが既に付与されている場合には、そこに上書きして固定パターンを付与する。実施の形態３によるデータ伝送方法においては、低速データの先頭に付与する固定パターン２０ａ及び２０ｃはプリアンブル等の規定パターンに上書きしており、低速データの最後尾に付与する固定パターン２０ｂ及び２０ｄはアイドル区間１５を使用している。
【００４７】
また、ｍ＝２の場合で、２ｍ個の固定パターンを使用しており、ｍ個のデータ単位で同じ固定パターンを繰り返し付与している。
【００４８】
送信部１３は固定パターン付き低速データ１８−１乃至１８−ｎが入力されるとこれらを多重化して伝送路５へ出力する。送信部１３から出力された多重化データは伝送路５を伝送して受信系３の受信部９により受信される。
【００４９】
受信部９から出力された固定パターン付き低速データ１８−１乃至１８−ｎ間には、各部品の特性のばらつきや伝送経路の違い等から図５（ｄ）に示すような遅延差が生じており、このような遅延差を有する状態で固定パターン除去部１０に出力される。固定パターン除去部１０はこれら固定パターン付き低速データ１８−１乃至１８−ｎ間の遅延差が最小データ長×（ｍ−１）まであることを前提として、受信した固定パターン付き低速データとその先頭に付与した固定パターン１７−１との相関チェックを行う。この相関チェックの処理により各低速データの先頭を抽出することができる。
【００５０】
そして、ｎ本の固定パターン付き低速データ１８−１乃至１８−ｎのすべての先頭が抽出できた時点で、先頭に付与された固定パターン１７−１を除去し、先頭を揃えてｎ本の低速データ１６−１乃至１６−ｎをデータ合成部２３に出力し始める。また、低速データ１６−１乃至１６−ｎの最後尾の判断は、受信した固定パターン付き低速データとその最後尾に付与した固定パターン１７−２との相関チェックにより行う。この相関チェックの処理により各低速データの最後尾を抽出することできる。そして、低速データの最後尾を抽出した時点でデータ合成部２３への出力を停止する。
【００５１】
図５（ｅ）は固定パターン除去部１０から出力された低速データ１６−１乃至１６−ｎを示しており、上述したような固定パターン除去部１０の処理によって受信系４において受信された固定パターン付き低速データ１８−１乃至１８−ｎ間の遅延差が補償されている。なお、送信系３の固定パターン付与部７において低速データの先頭および最後尾にプリアンブル等の規定されたデータパターンに上書きして固定パターンを付与した場合は、固定パターン１７−１，１７−２を除去する際にその復元も併せて行う。データ合成部２３は固定パターン除去部２２から出力されたｎ本の低速データ１６−１乃至１６−ｎが入力されるとこれらから図５（ｆ）に示すような元の１本の高速データ１２を復元してネットワーク２へ送出する。
【００５２】
以上のように、実施の形態３によるデータ伝送方法においては、送信系３から送信された低速データ間の遅延差が受信系４において各低速データの最小データ長までの遅延差まで補償することができる。また、データ分割部６によってｎ本に分割された低速データ１６−１乃至１６−ｎに付与する固定パターンをアイドル区間１５を使用して付与するようにしたので、元回線の論理限界性能（ワイヤレート）を補償したままで低速データへの分割および元データへの復元が可能となり、ネットワークへ何ら負荷をかけない安価なシステムを構築することができる。
【００５３】
なお、実施の形態３によるデータ伝送方法も複数に分割された低速データ間のアイドル区間にこれら複数に分割された低速データ間の遅延差を補償するための固定パターンを設けるようにしたので、高速データ１２のデータ長に拘わらず、元回線の論理限界性能（ワイヤレート）を補償したままで低速データへの分割および元データへの復元が可能となる。また、実施の形態３によるデータ伝送システムの場合も実施の形態１又は２と同様にして双方向通信を行うシステムを構成することができる。
【００５４】
実施の形態４．
次にこの発明の実施の形態４について図６を用いて説明する。図６は実施の形態４によるデータ伝送システムであって、上述した実施の形態１乃至３によるデータ伝送方法を適用して構成したデータ伝送システムを示すシステム構成図である。図６において、２１はネットワーク１に接続され、使用する通信規格に従って大容量のテキストデータ、画像データ等をいわゆるパケット形式の高速データにしてネットワーク１に出力するデータ管理装置、２２は大容量のテキストデータ、画像データ等を一時的に保存するデータ管理装置２１の記憶部、２３は自動車、列車等の移動体、２４は受信系４によって復元されネットワーク２に出力された元の高速データを一時的に保存する記憶部を有した移動体２３側のデータ管理装置である。なお、図中、同一符号は同一又は相当部分を示し、これらについての詳細な説明は省略する。
【００５５】
この実施の形態４によるデータ伝送システムは、駅ホームに設置した送信系３から駅ホーム内に停止した電車等の移動体２３に対して大容量のテキストデータ、画像データ等を送信し、これらの各種データを移動体２３側において利用（パソコン等の端末装置による視聴、閲覧等）できるようにするものである。また、高速道路の料金所あるいはガソリンスタンド等に設置した送信系３から停車中の自動車等の移動体２３に対して大容量のテキストデータ、画像データ等を送信し、これらのデータを移動体２３側において利用するように構成してもよい。この場合、送信系３の送信部８及び受信系の受信部９は、無線伝送路５にデータ伝送を阻害する遮蔽物が介在しないような位置に設置することが必要である。特に移動体２３側は設置スペースが制限されるので、移動体２３の運転者及び利用者等の邪魔にならないような位置に配置する。
【００５６】
通常、電車等の停車時間はごくわずかの時間であり、このようなデータ伝送システムに上述したような実施の形態１乃至３によるデータ伝送方法を適用することにより、送信系３から送信された低速データ間の遅延差を受信系４において各低速データの最小データ長又は最小データ長の半分までの遅延差まで補償することができる一方、データ分割部６によってｎ本に分割された低速データ１６−１乃至１６−ｎに付与する固定パターンをアイドル区間１５を使用して付与するようにしたので、元回線の論理限界性能（ワイヤレート）を補償したままで低速データへの分割および元データへの復元が可能となり、ネットワークへ何ら負荷をかけない安価なシステムを構築することができる。
【００５７】
【発明の効果】
この発明によれば、受信系において複数に分割された各低速データ間の遅延差が補償される一方、高速データの伝送を行うネットワーク回線を論理限界性能（ワイヤレート）近傍で使用するような場合であっても、このような元回線の論理限界性能（ワイヤレート）に影響を与えることなく、元回線の論理限界性能（ワイヤレート）を補償することができ、ネットワークへ何ら負荷をかけない安価なシステムを構築することが可能となる。
【図面の簡単な説明】
【図１】実施の形態１乃至３によるデータ伝送方法を適用したデータ伝送システムの概要を示すシステム概要図である。
【図２】図１の送信系及び受信系の具体的構成を示すブロック構成図である。
【図３】実施の形態１によるデータ伝送方法を適用したデータ伝送システムの動作を説明するためのデータ構成図である。
【図４】実施の形態２によるデータ伝送方法を適用したデータ伝送システムの動作を説明するためのデータ構成図である。
【図５】実施の形態３によるデータ伝送方法を適用したデータ伝送システムの動作を説明するためのデータ構成図である。
【図６】実施の形態４によるデータ伝送システムを示すシステム構成図である。
【符号の説明】
１，２  ネットワーク、３  送信系、４  受信系、
６  データ分割部、７  固定パターン付与部、８  送信部、
９  受信部、１０  固定パターン除去部、１１  データ合成部、
１２  高速データ、１３  データ部、１４  制御データ部、
１５  アイドル区間、１６−１乃至１６−ｎ  低速データ、
１７ａ，１７ｂ  固定パターン、
１８−１乃至１８−ｎ  固定パターン付低速データ、
１９ａ，１９ｂ  固定パターン、
２０ａ，２０ｂ，２０ｃ，２０ｄ  固定パターン、
２１，２４  データ管理装置、２２  記憶部、２３  移動体。
【図１】
2004236124.tif 000003
【図２】
2004236124.tif 000004
【図３】
2004236124.tif 000005
【図４】
2004236124.tif 000006
【図５】
2004236124.tif 000007
【図６】
2004236124.tif 000008